(57)【要約】【課題】電力電子回路を搭載した場合、軸方向の長さが長大化し重量化する。【解決手段】回転子軸、回転子、固定子、固定子と回転子に電力を供給するため反負荷側ブラケットに取り付けた電力供給ユニットを備え、反負荷側ブラケットの外側端面に、電力供給ユニットを直接取り付け、電力供給ユニットの取り付け位置に対向する反負荷側ブラケットの内側端面に、複数の放熱用フィンを直接取り付け、回転子軸に、放熱用フィンを冷却する冷却ファンを取り付け、反負荷側ブラケットの外周面に、冷却ファンの排気口を設けると共に反負荷側ブラケットの端面に冷却ファンの吸気口を設け、吸気口と放熱用フィンとを薄板状ガイドで覆うことによって、冷却通風路を形成し、冷却ファンの回転時に、この冷却ファンによって吸気口から吸い込まれた冷却風を、放熱用フィンを経て内径負圧部へ導いた後に排気口から排出するものである。【選択図】図１
2015092800.tif 000002
【特許請求の範囲】
【請求項１】
負荷側ブラケット及び反負荷側ブラケットに回転可能に支持された回転子軸、この回転子軸に嵌着され界磁巻線を有する回転子、この回転子を囲繞するように配置され固定子巻線を有する固定子、及びこの固定子と上記回転子に電力を供給するため上記反負荷側ブラケットに取り付けた電力供給ユニットを備えた電力供給ユニット一体型回転電機であって、
上記反負荷側ブラケットの外側端面に、上記電力供給ユニットを直接取り付け、
この電力供給ユニットの取り付け位置に対向する上記反負荷側ブラケットの内側端面に、その径方向に複数の放熱用フィンを直接取り付け、
この放熱用フィンと上記回転子間における上記回転子軸に、上記放熱用フィンを冷却する冷却ファンを取り付け、
上記反負荷側ブラケットの外周面に、上記冷却ファンの排気口を設けると共に、上記反負荷側ブラケットの端面に、上記冷却ファンの吸気口を設け、
この吸気口と上記放熱用フィンとを薄板状ガイドで覆うことによって、上記冷却ファンの内径負圧部近接に出口部を有する冷却通風路を形成し、
上記冷却ファンの回転時に、この冷却ファンの内径側に発生する負圧によって上記吸気口から吸い込まれた冷却風を、上記放熱用フィンを経て上記冷却ファンの内径負圧部へ導いた後に上記排気口から排出することを特徴とする電力供給ユニット一体型回転電機。
【請求項２】
上記吸気口の外周側口縁部には、上記反負荷側ブラケットと一体成形された隆起部を設け、この隆起部に上記薄板状ガイドを取り付け、上記隆起部に上記冷却通風路の入口部を形成したこと特徴とする請求項１に記載の電力供給ユニット一体型回転電機。
【請求項３】
上記吸気口の外周側口縁部には、上記冷却ファンの吸気口を覆うように上記薄板状ガイドを折り曲げ延在させ、この折り曲げ延在部に上記冷却通風路の入口部を形成したこと特徴とする請求項１に記載の電力供給ユニット一体型回転電機。
【請求項４】
上記放熱用フィンは、上記回転子軸の軸受部まで延長し且つこの軸受部に接触させたことを特徴とする請求項１から請求項３のいずれか１項に記載の電力供給ユニット一体型回転電機。
【請求項５】
上記放熱用フィンには、段差部を設け、上記冷却ファンの羽部を配置可能にした空間部を形成したことを特徴とする請求項１から請求項４のいずれか１項に記載の電力供給ユニット一体型回転電機。
【請求項６】
上記排気口と上記吸気口は、上記反負荷側ブラケットの周方向に互い違いに千鳥状に配置したことを特徴とする請求項１から請求項５のいずれか１項に記載の電力供給ユニット一体型回転電機。
【請求項７】
互いに隣り合う上記吸気口と上記排気口との間に、還流防止用隔壁リブを設けたことを特徴とする請求項１から請求項６のいずれか１項に記載の電力供給ユニット一体型回転電機。
【請求項８】
上記電力供給ユニットのパワー回路装置の径方向の大きさが、軸方向のモータと逆側ほど大きく、径方向に張り出した上記パワー回路装置の上記反負荷側ブラケットの投影部に上記吸気口を配置したことを特徴とする請求項１から請求項７のいずれか１項に記載の電力供給ユニット一体型回転電機。
【請求項９】
上記吸気口は、上記放熱用フィンと対向し且つ上記電力供給ユニットの電力半導体部品の近接に配置したことを特徴とする請求項１から請求項８のいずれか１項に記載の電力供給ユニット一体型回転電機。
【請求項１０】
上記反負荷側ブラケットの端面に、上記冷却通風路の出口部に合流する第２吸気口を設けたことを特徴とする請求項１から請求項９のいずれか１項に記載の電力供給ユニット一体型回転電機。
【発明の詳細な説明】
【技術分野】
【０００１】
この発明は、回転電機本体に、この回転電機の固定子巻線、或は界磁巻線に電力を供給する電力供給ユニットを取り付けた電力供給ユニット一体型回転電機に関するものである。
【背景技術】
【０００２】
車両用回転電機は、回転電機と、この回転電機を制御するインバータを備えている。省スペース性と搭載性の容易さ、又、回転電機とインバータを接続する配線ハーネスの縮小化などから、回転電機とインバータを一体化させた、電力供給ユニット一体型回転電機の開発が進められている。
例えば、特許文献１に記載のオルタネータ、又はオルタネータ／スタータの後部に一体化された電力電子装置を冷却する装置において、電力電子回路を搭載した上面と、上面と反対側で後部軸受けの方を向く底面を有する熱放散ブリッジを備え、底面は冷却流体通路の長手方向壁を形成し、冷却流体通路の他方の長手方向壁は、ステータを指示している後部軸受けにより形成され、熱放散ブリッジの底面は流体通路内に配置された複数個の冷却フィンを有し、熱放散ブリッジは２個の固定スタッドによって後部軸受けに固定され、冷却フィンの全ての軸方向端部は、後部軸受けから所定の間隔を置いた位置にあるものが示されている。
特許文献２には、ファンとリヤブラケット間に配置された電力供給ユニット、ファンの径方向外側に位置する部位に形成された排気口、及び電力供給ユニットより底部側に開口する吸気口を有するリヤブラケット、ファンの回転時ファンの内径側に発生する負圧によって吸気口から吸いこまれる空気を、ファンの負圧部に導いた後に排気口に送る通風路を構成する仕切り部材、モジュール取付部の裏面に突設された第１放熱フィンなどによって構成された電力供給ユニット一体型回転電機が示されている。
【先行技術文献】
【特許文献】
【０００３】
【特許文献１】特許第４３９２３５２号公報
【特許文献２】特許第５０１４４４５号公報
【発明の概要】
【発明が解決しようとする課題】
【０００４】
特許文献１において、熱放散ブリッジは電力電子回路を搭載し、更に熱を径方向に広げるためには厚みが６ｍｍ程度必要で、又後部軸受けは軸受けを保持するために５ｍｍ程度必要であり、軸方向に厚みのある構造物を２つ備え、更に、それらの間に隙間を設ける必要があるため、軸方向の長さが長大化し、重量化する、という課題があった。
特許文献２においては、リヤブラケットがモジュール取付部まで覆っているため、大型化し、重量化している。
この発明は、上記の課題に鑑み、熱放散ブリッジと後部軸受けを一体化し、軸方向を短小化して軽量化する電力供給ユニット一体型回転電機を提供することを目的とするものである。
【課題を解決するための手段】
【０００５】
この発明に係わる電力供給ユニット一体型回転電機は、負荷側ブラケット及び反負荷側ブラケットに回転可能に支持された回転子軸、この回転子軸に嵌着され界磁巻線を有する回転子、この回転子を囲繞するように配置され固定子巻線を有する固定子、及びこの固定子と上記回転子に電力を供給するため上記反負荷側ブラケットに取り付けた電力供給ユニットを備えた電力供給ユニット一体型回転電機であって、上記反負荷側ブラケットの外側端面に、上記電力供給ユニットを直接取り付け、この電力供給ユニットの取り付け位置に対向する上記反負荷側ブラケットの内側端面に、その径方向に複数の放熱用フィンを直接取り付け、この放熱用フィンと上記回転子間における上記回転子軸に、上記放熱用フィンを冷却する冷却ファンを取り付け、上記反負荷側ブラケットの外周面に、上記冷却ファンの排気口を設けると共に、上記反負荷側ブラケットの端面に、上記冷却ファンの吸気口を設け、この吸気口と上記放熱用フィンとを薄板状ガイドで覆うことによって、上記冷却ファンの内径負圧部近接に出口部を有する冷却通風路を形成し、上記冷却ファンの回転時に、この冷却ファンの内径側に発生する負圧によって上記吸気口から吸い込まれた冷却風を、上記放熱用フィンを経て上記冷却ファンの内径負圧部へ導いた後に上記排気口から排出するものである。
【発明の効果】
【０００６】
この発明の電力供給ユニット一体型回転電機によれば、反負荷側ブラケットにその径方向に複数の放熱用フィンを直接取り付け、この放熱用フィンを薄板状ガイドで覆い冷却通風路を形成したので、コンパクトな構造で電力供給ユニットの冷却を可能にすると共に、軸長の短小化と軽量化も可能にすることができる。
【図面の簡単な説明】
【０００７】
【図１】この発明の実施の形態１における電力供給ユニット一体型回転電機の要部断面図である。
【図２】図１中の矢印Ａ方向から見た平面図である。
【図３】この発明の実施の形態１における電力供給ユニット一体型回転電機の変形例１を示す要部断面図である。
【図４】この発明の実施の形態１における電力供給ユニット一体型回転電機の変形例２を示す要部断面図である。
【図５】この発明の実施の形態１における電力供給ユニット一体型回転電機の変形例３を示す要部断面図である。
【図６】この発明の実施の形態１における電力供給ユニット一体型回転電機の変形例４を示す要部断面図である。
【図７】この発明の実施の形態１における電力供給ユニット一体型回転電機の変形例５を示す要部断面図である。
【図８】この発明の実施の形態２における電力供給ユニット一体型回転電機の要部断面図である。
【図９】この発明の実施の形態１における電力供給ユニット一体型回転電機の排気口を説明するための要部断面図である。
【発明を実施するための形態】
【０００８】
以下、図面に基づいて、この発明の各実施の形態を説明する。
なお、各図間において、同一符号は同一或は相当部分を示す。
【０００９】
実施の形態１．
図１、図２に基づいてこの発明の実施の形態１に係る電力供給ユニット一体型回転電機を説明する。
図１は、この発明の実施の形態１に係る電力供給一体型回転電機の要部断面図、図２は、図１中の矢印Ａ方向から見た上面図である。
図１において、２００は回転電機部を示し、３００はこの回転電機部２００に電力を供給する電力供給ユニットを示している。
【００１０】
回転電機部２００は、負荷側ブラケット（以下、フロントブラケットという。）１、及び反負荷側ブラケット（以下、リヤブラケットという。）２からなるハウジングと、フロントブラケット１及びリヤブラケット２で支持された回転子軸４と、この回転子軸に嵌着され界磁巻線５を有する回転子６と、この回転子を囲繞するように配置され固定子巻線３１と固定子鉄心３２とを有する固定子３とを備えている。
回転子軸４は、フロントブラケット１に設けたフロント側ベアリング（軸受部）７１と、リヤブラケット２に設けたリヤ側ベアリング（軸受部）７２により回転自在に支持され、回転子６は、固定子３に対して同軸に回転できるように構成している。
【００１１】
回転子６の軸方向の負荷側（以下、フロント側という。）には、冷却ファン８１が設けられ、反負荷側（以下、リヤ側という。）には、冷却ファン８２が設けられている。
回転子軸４のフロント側端部、即ち、フロントブラケット１の外側には、プーリー９を装着すると共に、回転子軸４のリヤ側端部、即ち、リヤブラケット２側には、ブラシ１００及び回転センサ１１０を配置する。プーリー９は、図示していないベルトを介してエンジンの回転軸に連結し、回転エネルギーを伝達する。ブラシ１００は、界磁巻線５に直流電力を供給するものである。
【００１２】
リヤブラケット２の外側端面には、回転電機部２００に電力を供給する電力供給ユニット３００が直接取り付けられている。
この電力供給ユニット３００は、固定子巻線３１或は界磁巻線５に電力を供給する電力電子回路１２０、ブラシ１００、回転センサ１１０などで構成され、回転センサ１１０には、ホール素子やレゾルバを用い、電力電子回路１２０は、半導体スイッチング素子や、制御回路を内蔵し、固定子巻線３１や界磁巻線５への電力供給を制御する。電力電子回路１２０の外側は、樹脂カバー１３０で覆い電力電子回路１２０を保護している。
【００１３】
フロントブラケット１では、回転子６と対向する面に、フロントブラケット側の吸気口１１を配置し、外周側面にフロントブラケット側の排気口１２を配置し、回転子軸４の軸端には、冷却ファン８１が装着されている。
回転子６が回転駆動すると、冷却ファン８１及び冷却ファン８２が駆動し、フロントブラケット１側では図１の矢印で示すように、冷却風Ｗ１は、フロントブラケットの吸気口１１から吸入し、遠心方向に曲げられ、回転子６及び固定子３を冷却して排気口１２から排出する（リヤブラケット２側の冷却風Ｗについては後述、００１５参照）。
【００１４】
次に、リヤブラケット２側について説明する。
リヤブラケット２の内側には、次の各部材が配置されている。
すなわち、リヤブラケット２の内部は、電力電子回路１２０（電力供給ユニットの一部）の取り付け位置に対向するリヤブラケット２の内側端面にその径方向に長手側縁部を直接取り付けた複数の放熱用フィン２３、この放熱用フィンと回転子６間における回転子軸４に取り付けられ放熱用フィン２３を冷却する冷却ファン８２、リヤブラケット２の外周面に設けた冷却ファンの排気口２２、リヤブラケット２の外側端面すなわち電力電子回路１２０の搭載面に設けた冷却ファンの吸気口２１、この吸気口と放熱用フィン２３とを覆い且つ放熱用フィン２３の他方の長手側縁部に固着され冷却通風路を形成する薄板状ガイド１４０、リヤブラケット２と一体成形され、吸気口２１の外周側口縁部において薄板状ガイド１４０の一端部を取り付けた隆起部２４などで構成されている。なお、隆起部２４は放熱用フィン２３と同じ高さに設定されている。
又、薄板状ガイド１４０の一端部は、冷却通風路の入口部１４０ａを形成し、冷却ファン８２の内径負圧部近接に位置する他端部は、冷却通風路の出口部１４０ｂを形成している。
【００１５】
上記の構成において、回転子６が回転駆動すると、冷却ファン８１と共に冷却ファン８２が駆動する。この駆動により図１の矢印で示すように、リヤブラケット２側の冷却風Ｗは、冷却ファン８２の内径側に発生する負圧によって吸気口２１から吸入され、冷却通風路の入口部１４０ａを経て、冷却通風路内を放熱用フィン２３で電力電子回路１２０を冷却しながら通過し、更に冷却通風路の出口部１４０ｂを経て、冷却ファン８２の内径負圧部へ導かれた後に遠心方向に曲げられ、回転子６及び固定子３を冷却しながら排気口２２から排出される。
【００１６】
ここで、薄板状ガイド１４０は、空気の流れを導く役割のため、厚みが１ｍｍ程度或は２ｍｍ程度でよく、又、放熱用フィン２３と接触させるため、軸方向を短くすると共に軽量化できる。
放熱用フィン２３、吸気口２１、排気口２２、隆起部２４の形成は、リヤブラケット２を型で作成する際に、軸方向に抜く型にすることで容易に作成できる。
なお、リヤブラケットの隆起部２４に対する薄板状ガイド１４０の取り付けは、ねじやリベットを用いてもよいし、溶接による接合でもよい。
ここで、放熱用フィン２３の一部と薄板状ガイド１４０に、ねじやリベットを用いるか、薄板状ガイド１４０と放熱用フィン２３の接触部を溶接して固定するようにすれば、薄板状ガイド１４０の振動を抑制し、耐振性を向上することができる。
【００１７】
次に、図２に基づき、吸気口２１、排気口２２、放熱用フィン２３、還流防止用隔壁リブ２５、電力半導体部品１２１などの相関位置について説明する。
放熱用フィン２３は、リヤブラケット２の全周に渡って配置してもよいが、図２に示すように、発熱体である電力電子回路１２０中の電力半導体部品１２１の近接に配置してもよい。電力半導体部品１２１は、半導体スイッチング素子を内蔵した電子部品であり、発熱するため冷却が必要な部品である。
【００１８】
吸気口２１及び排気口２２は、リヤブラケットの全周に渡って配置してもよいが、吸気口２１と排気口２２が近い場合、排気された温まった空気が吸気口２１に再び吸入される、いわゆる還流により温度が上昇する。そこで、図２に示すように、吸気口２１と排気口２２をブラケットの周方向に互い違いに千鳥状に配置し、位置関係を遠くすることで、冷却風Ｗの還流を抑制することができる。ここで、吸気口２１の位置を、発熱体である電力電子回路１２０中の電力半導体部品１２１の近接に配置することで、効率よく冷却することができる。つまり、図２においては、吸気口２１を、放熱用フィン２３を配置した対向部分にすることで、効率よく冷却することができる。
【００１９】
更に、互いに隣り合う上記吸気口と上記排気口との間のリヤブラケット２に、還流防止用隔壁リブ２５を配置することで、還流をより抑制できる。
還流防止用隔壁リブ２５は、吸気口２１と排気口２２の位置関係に応じて、図２のように放射方向、或は後述の図６に示す還流防止用隆起部２５ａのように周方向に配置するとよい。
ここで、図２は、図１の矢印方向Ａ、すなわち樹脂カバー１３０の一部を切り取り、樹脂カバーの外側から見た図であり、樹脂カバー１３０の中にある電力半導体部品１２１を実線で示し、リヤブラケット２の内側にある放熱用フィン２３は点線で示している。
又、この図２では、吸気口２１によりリヤブラケット２の内側の薄板状ガイド１４０が見えている。又、排気口２２により固定子３の固定子鉄心３２と薄板状ガイド１４０が見えている。排気口２２におけるリヤブラケット２の軸方向の抜き量は、図９に示すように、貫通させてもよいが、図１に示すように、軸方向の途中までとすることで、リヤブラケット２の強度を向上し、又、残した部分を固定子３との固定に使用できるため、接続を強化することができる。
【００２０】
次に、図３に基づいて実施の形態１の変形例１を説明する
図３の変形例１は、放熱用フィン２３の内周側端部２３ｂを、回転子軸４のリヤ側ベアリング７２の近接まで延長し、図３ではリヤブラケット２を介しリヤ側ベアリング７２の外輪に接触させたものである。
このように、放熱用フィン２３をリヤ側ベアリング７２に接触させることでリヤ側ベアリング７２の冷却性能の向上を図っている。
【００２１】
次に、図４に基づいて実施の形態１の変形例２を説明する
図４の変形例２は、薄板状ガイド１４０の端部１４１を、吸気口２１を覆うように折り曲げ延在させ、この延在部を、吸気口２１の外周側口縁部に固定することにより当該部に冷却通風路の入口部１４０ａを形成したものである。
【００２２】
このように、薄板状ガイド１４０の端部１４１を、１回以上曲げて、冷却風Ｗの経路が吸気口２１から内周に向かうように傾斜を設けることで、圧損を低減し、風量を増加させて放熱用フィンの冷却性能を向上できる。この場合、薄板状ガイド１４０のリヤブラケット２側の固定は、リヤブラケット２の平面部に薄板状ガイド１４０との固定部を設け、ねじ止め或は溶接で固定する。
【００２３】
次に、図５に基づいて実施の形態１の変形例３を説明する
図５の変形例３は、放熱用フィン２３の軸方向高さを、半径方向の内周側と外周側で異なるようにして、放熱用フィン２３に段差部２３ａを設け、リヤ側の冷却ファン８２の形状に合わせた空間部を形成し、この空間部に冷却ファン８２の羽部を配置可能にしたものである。
オルタネータなどの車両用回転電機に使用される吸引タイプのファンは、外周付近の板を起こした形状が多い。そこで、図５に示すように、放熱用フィン２３の形状を、冷却ファン８２の形状に合わせて段差部２３ａを設けることで、軸方向を短くすることができる。この場合、薄板状ガイド１４０の内周側は、放熱用フィン２３の段差部２３ａまでにすると冷却風Ｗが内周部まで行き渡ってよい。
【００２４】
次に、図６に基づいて実施の形態１の変形例４を説明する。
図６の変形例４は、図１、図２、図３の内方に隆起した隆起部２４を、外方すなわちリヤブラケット２の外側端面に、周方向に延在させて還流防止用隆起部２５ａを形成したものであり、この還流防止用隆起部２５ａは、図２の還流防止用隔壁リブ２５と同様に機能する。
【００２５】
次に、図７に基づいて実施の形態１の変形例５を説明する。
図７の変形例５は、樹脂カバー１３０を樹脂ケース１３１と樹脂カバー１３２のように分割したものである。これら樹脂ケース１３１と樹脂カバー１３２の役割は、防塵、防水であり、樹脂ケース１３１にポッティング材を満たすことでも機能を果たすことができる。
【００２６】
又、この変形例５では、電力電子回路１２０において、半導体素子などで構成するパワー部品（図示せず）と、制御回路を搭載する制御基板１２０ａがある場合、パワー部品をリヤブラケット２側に配置する。ここで、パワー部品より制御基板１２０ａの方が径方向に大きい場合、樹脂ケース１３１の側面を、制御基板１２０ａとパワー部品（図示せず）の外形に合わせることで、吸気口２１を広くでき冷却風Ｗの流量を増やすことができる。
すなわち、電力供給ユニットの、パワー回路装置の径方向の大きさが、軸方向のモータと逆側ほど大きい場合に、上記のように構成することにより、径方向に張り出したパワー回路装置（制御基板１２０ａ）の反負荷側ブラケットの投影部に吸気口２１の配置が可能となり、吸気口２１を広くできるので、冷却風Ｗの流量を増やすことができる。
【００２７】
樹脂ケース１３１の上面には、樹脂カバー１３２で蓋をする。なお、図１〜図７における樹脂カバー１３０も、同様に樹脂ケース１３１と樹脂カバー１３２のように分割することができる。これらの役割は防塵、防水であり、樹脂ケース１３１にポッティング材を満たすことでも機能を果たすことができる。
【００２８】
実施の形態２．
図８に基づいてこの発明の実施の形態２に係る電力供給ユニット一体型回転電機を説明する。
図８は、この発明の実施の形態２に係る電力供給一体型回転電機の要部断面図である。
図８の電力供給ユニット一体型回転電機では、リヤブラケット２の端面において、リヤ側ベアリング７２の近接（電力電子回路１２０の内周側）、すなわち後述の樹脂カバー１３０と樹脂カバー１５０間に、冷却通風路の出口部１４０ｂに合流する第２吸気口２６を設けたものである。
【００２９】
リヤブラケット２の後方外側には、回転電機部２００に電力を供給する電力供給ユニット３００である、ブラシ１００と回転センサ１１０、電力電子回路１２０を配置し、リヤブラケット２に搭載している。電力電子回路１２０は、半導体スイッチング素子や、制御回路を内蔵し、固定子巻線３１や界磁巻線５への電力供給を制御する。電力電子回路１２０のリヤブラケットの反対側には樹脂カバー１３０を配置し、電力電子回路１２０を保護する。又、ブラシ１００及び回転センサ１１０のリヤブラケット２の反対側に樹脂カバー１５０を配置し、ブラシ１００及び回転センサ１１０を保護する。
【００３０】
リヤブラケット２の、電力電子回路１２０の搭載面の外周側に吸気口２１を配置し、側面側に排気口２２を配置する。吸気口２１の内周側の回転電機部２００側に放熱用フィン２３を配置する。放熱用フィン２３の先端には、放熱用フィン２３からリヤブラケット２の外周付近にかけて薄板状ガイド１４０を設ける。
又、リヤブラケット２の、電力電子回路１２０の搭載面の内周側と、ブラシ１００及び回転センサ１１０の外周側の間に第２吸気口２６を配置する。
【００３１】
この電力供給ユニット一体型回転電機では、回転子６が回転駆動すると冷却ファン８１（図示せず）及び冷却ファン８２が駆動し、図８の矢印で示すように、冷却風Ｗは、リヤブラケットの吸気口２１から吸入し、薄板状ガイド１４０に沿って放熱用フィン２３を通過して電力電子回路１２０を冷却し、遠心方向に曲げられ、回転子６及び固定子３を冷却して排気口２２から排出する。一方、冷却風Ｗ２はリヤブラケットの第２吸気口２６から吸入し、放熱用フィン２３を通過すると共に冷却風Ｗと合流して排気口２２から排出する。
放熱用フィン２３及び吸気口２１、排気口２２、第２吸気口２６の形成は、リヤブラケット２を型で作成する際に、軸方向に抜く型にすることで容易に作成できる。
【００３２】
なお、この発明は、その発明の範囲内において、各実施の形態を適宜、変形、省略することが可能である。
【符号の説明】
【００３３】
１：フロントブラケット（負荷側ブラケット）、
１１：フロントブラケット側の吸気口、
１２：フロントブラケット側の排気口、
２：リヤブラケット（反負荷側ブラケット）
２１：リヤブラケット側の吸気口、
２２：リヤブラケット側の排気口、
２３：放熱用フィン、    ２３ａ：段差部、    ２４：隆起部、
２５ａ：還流防止用隆起部、    ２５：還流防止用隔壁リブ、
２６：リヤブラケットの第２吸気口、    ３：固定子、    ３１：固定子巻線、
３２：固定子鉄心、    ４：回転子軸、    ５：界磁巻線、    ６：回転子、
７１：フロント側ベアリング（軸受部）、    ７２：リヤ側ベアリング（軸受部）、
８１：フロント側の冷却ファン、    ８２：リヤ側の冷却ファン、
９：プーリー、    １００：ブラシ、    １１０：回転センサ、
１２０：電力電子回路、    １２１：電力半導体部品、    １３０：樹脂カバー、
１４０：薄板状ガイド、    ２００：回転電機部、    ３００：電力供給ユニット、
Ｗ：リヤブラケット側の冷却風、    Ｗ１：フロント側の冷却風、
Ｗ２：リヤブラケット側の第２冷却風。
【図１】
2015092800.tif 000003
【図２】
2015092800.tif 000004
【図３】
2015092800.tif 000005
【図４】
2015092800.tif 000006
【図５】
2015092800.tif 000007
【図６】
2015092800.tif 000008
【図７】
2015092800.tif 000009
【図８】
2015092800.tif 000010
【図９】
2015092800.tif 000011